(57)【要約】【課題】楔式ソケットの楔にワイヤーロープを食い込むよう掛けるときの作業初期状態における大きな膨らみを抑制して、その後、ワイヤーロープを食い込むよう掛けるときの変形を容易にした楔式ロープ止め装置を提供する。【解決手段】本発明の楔式ロープ止め装置は、ワイヤーロープに楔式ソケットを取り付けるために使用する、可動側と固定側からなるものであって、前記可動側は、前記ワイヤーロープを固定するロープ固定部と、前記ワイヤーロープの端部に形成されるループ部の大きさを抑制するロープ膨らみ抑制部と、を可動側連結部材で連結したものであり、前記固定側は、前記楔式ソケットを保持するソケット保持部を備えたものとした。【選択図】図３
2019085228.tif 000002
【特許請求の範囲】
【請求項１】
ワイヤーロープに楔式ソケットを取り付けるために使用する、可動側と固定側からなる楔式ロープ止め装置であって、
前記可動側は、前記ワイヤーロープを固定するロープ固定部と、前記ワイヤーロープの端部に形成されるループ部の大きさを抑制するロープ膨らみ抑制部と、を可動側連結部材で連結したものであり、
前記固定側は、前記楔式ソケットを保持するソケット保持部を備えたものであることを特徴とした楔式ロープ止め装置。
【請求項２】
前記ソケット保持部は、前記楔式ソケットの外周のテーパ部に合致するように、前記ロープ固定部に向かって先端を狭めた略ハ字状に固定された構成であることを特徴とする請求項１記載の楔式ロープ止め装置。
【請求項３】
前記ロープ膨らみ抑制部は、前記ロープ固定部に向かって開口側を広げた構成であることを特徴とする請求項１または請求項２記載の楔式ロープ止め装置。
【請求項４】
前記ワイヤーロープを固定した前記ロープ固定部を引き上げたとき、
前記ロープ膨らみ抑制部は、前記ループ部を、前記ソケット保持部が保持した前記楔式ソケットの方向に押し上げ、前記楔式ソケットの内部に設けた楔に食い込ませることを特徴とする請求項１から請求項３の何れか一項に記載の楔式ロープ止め装置。
【発明の詳細な説明】
【技術分野】
【０００１】
本発明は、ワイヤーロープの端部に楔式ソケットを取り付けるために使用される楔式ロープ止め装置に関する。
【背景技術】
【０００２】
本技術分野の背景技術として、特許文献１があり、その請求項１には、「楔及び前記楔に巻かれたロープ末端部が挿入される通し穴と、ロープ末端部の一部が露出する開口部とが設けられたソケットを着脱可能に保持する台座と、外部から受けた力を楔及びロープ末端部に伝達する押圧力伝達部材と、前記押圧力伝達部材の一端に設けられ、外部の力を受けたとき、前記押圧力伝達部材の一端を一側に保持する保持具と、前記台座に設けられ、前記保持具を着脱可能に保持する第一の取付部と、外部の力を受けて前記押圧力伝達部材の他端を巻き取る巻取り手段と、前記台座に設けられ、前記巻取り手段を着脱可能に保持する第二の取付部と、を備えたことを特徴とする楔式ロープ留め装置用治具」が記載されている。
【０００３】
また、同文献の「発明の効果」欄では、「この発明は、楔式ロープ留め装置用治具に、外部の力を押圧力伝達部材が受けたとき、押圧力伝達部材を巻き取る巻き取り手段により外部の力を伝達するようにしたので、高速または大容量エレベータ等に使用される大型のソケットにおいても、コンパクトな楔式ロープ留め装置用治具を実現できる。」と述べられている。
【０００４】
すなわち、同文献には、高速または大容量エレベーター等に使用される径の太いロープの末端部に大型のソケットを取り付けるためのコンパクトな治具が開示されている。
【先行技術文献】
【特許文献】
【０００５】
【特許文献１】特開２０１３−１８６３１号公報
【発明の概要】
【発明が解決しようとする課題】
【０００６】
しかしながら、特許文献１のコンパクトな冶具を用いる場合、楔式ソケットの楔にワイヤーロープを食い込むよう掛ける作業の最終状態においては、ループ部が十分に小さくなっているため同作業の遂行に障害はないが、ワイヤーロープの径が太いためループ部が大きく膨らんでしまう作業の初期状態においては、同作業の遂行に多大な労力を要するという問題があった。
【０００７】
そこで、本発明の楔式ロープ止め装置は、ワイヤーロープの端部に楔式ソケットを取り付ける作業の初期状態において、ワイヤーロープのループ部の膨らみを抑制できるような構成とすることで、径の太いワイヤーロープを用いる場合であっても、容易に同作業を遂行できるようにすることを目的とする。
【課題を解決するための手段】
【０００８】
上記課題を解決するために、本発明の楔式ロープ止め装置は、ワイヤーロープに楔式ソケットを取り付けるために使用する、可動側と固定側からなるものであって、前記可動側は、前記ワイヤーロープを固定するロープ固定部と、前記ワイヤーロープの端部に形成されるループ部の大きさを抑制するロープ膨らみ抑制部と、を可動側連結部材で連結したものであり、前記固定側は、前記楔式ソケットを保持するソケット保持部を備えたものとした。
【発明の効果】
【０００９】
本発明の楔式ロープ止め装置によれば、ワイヤーロープの端部に楔式ソケットを取り付ける作業の初期状態において、ワイヤーロープのループ部の膨らみを抑制できるような構成とすることで、径の太いワイヤーロープを用いる場合であっても、容易に同作業を遂行できるようにすることができる。
【図面の簡単な説明】
【００１０】
【図１】一実施例の楔式ロープ止め装置の平面図である。
【図２】図１の楔式ロープ止め装置の側面図である。
【図３】図１の楔式ロープ止め装置を用いて楔式ソケットにワイヤーロープを取り付ける作業の初期状態を示す平面図である。
【図４】エレベーター装置の全体構成を概説する斜視図である。
【発明を実施するための形態】
【００１１】
まず、図４の斜視図を用いて、エレベーター装置の全体構成を概説する。
【００１２】
ここに示すエレベーター装置は、乗かご４０が昇降する昇降路４１の上部に機械室４２を備えている。機械室４２には、巻上機４３とプーリー４４が設置されており、これらにワイヤーロープ１２が巻き掛けられている。このワイヤーロープ１２の一端には乗かご４０が吊り下げられており、他端には釣合おもり４５が吊り下げられている。ここで、ワイヤーロープ１２の両端には、後述する楔式ソケット７が取り付けられており、この楔式ソケット７を介することで、ワイヤーロープ１２が、乗かご４０または釣合おもり４５と連結されている。
【００１３】
そして、巻上機４３を適切に回転制御することで、ワイヤーロープ１２を所望量だけ巻き上げ、乗かご４０を所望の位置に昇降させることができる。なお、昇降路４１には、乗かご４０の昇降をガイドする一対の乗かご側ガイドレール４６と、釣合おもり４６の昇降をガイドする一対の釣合おもり側ガイドレール４７が設置されており、これらによって乗かご４０と釣合おもり４５を安定して昇降させることができる。
【００１４】
以下、ワイヤーロープ１２の端部に楔式ソケット７を取り付ける、本発明の一実施例の楔式ロープ止め装置を図面に基づいて説明する。
【００１５】
図１および図２は、一実施例の楔式ロープ止め装置１００の平面図および側面図である。この楔式ロープ止め装置１００は、可動側と固定側に大別され、固定側に対して可動側が相対移動できるようになっている。
【００１６】
楔式ロープ止め装置１００の可動側は、背面側中央部に配置された長板状の可動側連結部材１と、可動側連結部材１の長手方向一端部に取り付けたロープ固定部２と、可動側連結部材１の長手方向他端部に取り付けたロープ膨らみ抑制部３から構成されている。
【００１７】
これらのうち、ロープ固定部２は、可動側連結部材１に結合された固定側ロープ固定部４Ａと、複数本のボルト５によって固定側ロープ固定部４Ａへ取り付けられた取り外し側ロープ固定部４Ｂで構成されている。また、ロープ膨らみ抑制部３は、ロープ固定部２側に向かって開口側を広げた一対の側面３Ａ，３Ｂを有しており、これらによって、ロープ膨らみ抑制部３の内側配置されるワイヤーロープ１２の膨らみを抑制するように構成されている。
【００１８】
一方、楔式ロープ止め装置１００の固定側は、図示を省略した固定側部材と、これに固定された一対のソケット保持部６Ａ，６Ｂから構成されている。この一対のソケット保持部６Ａ，６Ｂは、ロープ固定部２側に向かって先端側を狭めた略ハ字状に固定されている。
【００１９】
上述の構成としたので、可動側連結部材１、ロープ固定部２、ロープ膨らみ抑制部３を含む楔式ロープ止め装置１００の可動側は、図示の上側に一体として移動させることができるが、一対のソケット保持部６Ａ，６Ｂを含む固定側は、可動側連結部材１等とは分離しているため、可動側と連動することはない。
【００２０】
次に、図３を用いて、楔式ロープ止め装置１００の使用方法を説明する。図３は、楔式ロープ止め装置１００に組み込んだ楔式ソケット７にワイヤーロープ１２を取り付ける作業の初期状態を示す平面図である。
【００２１】
ここに示すように、楔式ロープ止め装置１００に組み込まれた楔式ソケット７は、その外周部に、一対のソケット保持部６Ａ，６Ｂに合致するテーパ面を有している。また、その中央内部にロープ固定部２側に向かって先端側を狭めた破線で示す楔８と、その一端部に形成されたロープ導出入孔部９と、その中間部にロープ導出入孔部９と連通して楔８の両側に形成されたロープ導出入孔部１０Ａ，１０Ｂと、その他端部側に形成された孔１１を有している。
【００２２】
図３に至るまでの作業を順次紹介すると、先ず、図１における楔式ロープ止め装置１００のソケット保持部６Ａ，６Ｂに、楔式ソケット７を図３のように設置する。その前後に、ボルト５と取り外し側ロープ固定部４Ｂを、固定側ロープ固定部４Ａから取り外しておく。
【００２３】
その後、ワイヤーロープ１２の一方の端部をロープ導出入孔部９から楔式ソケット７内に挿入し、一方のロープ導出入孔部１０Ａから導出した後、ロープ膨らみ抑制部３の内面に沿ってワイヤーロープ１２を丸め込むように伸ばし、他方のロープ導出入孔部１０Ｂから楔式ソケット７へ内に戻し、ロープ導出入孔部９から導出する。
【００２４】
そして、ロープ導出入孔部９から導出されたワイヤーロープ１２の端部を他方側と束ねるように固定側ロープ固定部４Ａの窪みに配置してから、先に取り外しておいた取り外し側ロープ固定部４Ｂを被せた後、ボルト５を締結して取り外し側ロープ部材４Ｂと固定側ロープ固定部４Ａの間にワイヤーロープ１２を挟み込んで固定する。
【００２５】
この時点では、ワイヤーロープ１２は、ロープ膨らみ抑制部３に内接するループ部を形成して可撓変形し、楔８からは離れているため、楔８に食い込むように巻き込んだ状態となっていない。一般に、ワイヤーロープ１２を固定した時に形成されるループ部は、ワイヤーロープ１２の径が太くなるほど大きく膨らむ傾向がある。しかし、図１から図３に示した本実施例の構成によれば、ロープ膨らみ抑制部３がない従来の構成に比べて、作業の初期状態においても、ワイヤーロープ１２のループ部の膨らみをロープ膨らみ抑制部３によって十分小さく制限することができる。
【００２６】
次いで、楔式ロープ止め装置１００を作動させて、ワイヤーロープ１２を楔８に食い込ませて巻き込ませた状態とする。このために、楔式ロープ止め装置１００の可動側（可動側連結部材１、ロープ固定部２、ロープ膨らみ抑制部３）を、図示の上方へと移動させる。すると、楔式ソケット７は、楔式ロープ止め装置１００の固定側（ソケット保持部６Ａ，６Ｂ）に食い込み、やがて位置規制されるため、その後は、楔式ロープ止め装置１００の可動側とワイヤーロープ１２のみが図示の上方へと引き上げられる。従って、ワイヤーロープ１２はロープ膨らみ抑制部３の内面側から離れながら、楔８にしっかりと食い込ませるように巻き込まれて固定される。
【００２７】
ここで、ロープ膨らみ抑制部３を用いない従来技術の場合、初期状態におけるワイヤーロープ１２のループ部の膨らみが大きくなってしまい、ワイヤーロープ１２を引き上げる際のロープ導出入孔部１０Ａ，１０Ｂでの抵抗が増大するため、ワイヤーロープ１２を引き上げたときに、ワイヤーロープ１２を楔８にしっかりと食い込ませて円滑に巻き込ませることが難しい。
【００２８】
これに対し、本実施例では、楔式ロープ止め装置１００に楔式ソケット７とワイヤーロープ１２を組み込んだ初期状態の時点で、ワイヤーロープ１２のループ部の膨らみがロープ膨らみ抑制部３によって所定の大きさ以下に抑制されているため、ワイヤーロープ１２を引き上げたときに、ロープ導出入孔部１０Ａ，１０Ｂでの抵抗が小さく、ワイヤーロープ１２を楔８にしっかりと食い込むように円滑に巻き込ませることができる。
【００２９】
また、その後の可動側連結部材１の引き上げ時にも、ロープ膨らみ抑制部３は置き去りにされるのではなく、可動側連結部材１と連動して同時に引き上げるため、ロープ膨らみ抑制部３によって抑制されていたループ部の膨らみが、引き上げ時のごく初期に開放されてしまうこともない。このとき、ロープ膨らみ抑制部３は、ワイヤーロープ１２を下方から楔式ソケット７の内部へ押し込む役割も果たすことから、ワイヤーロープ１２の引き揚げ作業をより容易なものとすることができる。
【００３０】
この説明から分かるように、本実施例では、楔式ロープ止め装置１００に楔式ソケット７およびワイヤーロープ１２を組み込まれた初期状態において、ワイヤーロープ１２のループ部の膨らみはロープ膨らみ抑制部３によって適切に制限されており、その後も、ワイヤーロープ１２の引き上げ時にもロープ膨らみ抑制部３は可動側連結部材１と共に一体的に同方向に移動して行くため、その移動初期においてもワイヤーロープ１２における膨らみの制限は持続され、且つ、ワイヤーロープ１２を引張る作業と、ワイヤーロープ１２を楔式ソケット７に押し込む作業を同時に実施できるようにすることで、ワイヤーロープ１２の引き上げに伴って円滑に変形するよう補助しながら、楔８にしっかりと食い込ませて巻き込ませることができる。
【００３１】
その後、楔式ソケット７およびワイヤーロープ１２は、楔式ロープ止め装置１００から分離され、例えば、図４に例示したように、エレベーター装置の主索として使用される。また、上述の方法で楔式ソケット７を取り付けたワイヤーロープ１２は、橋梁やロープウェイ等に用いても良い。なお、楔式ソケット７に形成されている孔１１は、実装時にシンブルロッドとの連結用などとして使用することができる。
【００３２】
以上で説明したように本実施例では、楔式ソケット７に形成された楔８にワイヤーロープ１２を掛けた状態で、楔式ソケット７を位置固定してワイヤーロープ１２を楔８に巻き込むように駆動する楔式ロープ止め装置１００において、ワイヤーロープ１２を楔８に巻き込むように駆動される可動側連結部材１を設け、前記可動側連結部材１に、ワイヤーロープ１２を釈放可能に固定するロープ固定部２と、ワイヤーロープ１２における楔８への巻き込み側の膨らみを抑制するロープ膨らみ抑制部３を連結した。
【００３３】
このような構成によれば、楔式ロープ止め装置１００に楔式ソケット７およびワイヤーロープ１２を組み込まれた初期状態において、ワイヤーロープ１２の膨らみはロープ膨らみ抑制部３によって楔に食い込むよう掛けられるときに変形しやすく抑制されており、その後も、ワイヤーロープ１２の引き上げ時にもロープ膨らみ抑制部３は可動側連結部材１と共に一体的に同方向に移動して行くため、その移動初期においてもワイヤーロープ１２における膨らみの制限は持続され、且つ、ワイヤーロープ１２を引張る作業と、ワイヤーロープ１２を楔式ソケット７に押し込む作業を同時に実施できるようにすることで、ワイヤーロープ１２の引き上げに伴って円滑に変形するよう補助しながら、楔８にしっかりと食い込ませて巻き込ませることができる。
【００３４】
尚、本発明は、上述した実施例に限定するものではなく、様々な変形例が含まれる。例えば、楔式ロープ止め装置１００の具体的の構造や各部の形状などは図示のものに限定しない。
【符号の説明】
【００３５】
１００  楔式ロープ止め装置、
１  可動側連結部材、
２  ロープ固定部、
３  ロープ膨らみ抑制部、
３Ａ、３Ｂ  側面、
４Ａ  固定側ロープ固定部、
４Ｂ  取り外し側ロープ固定部、
５  ボルト、
６Ａ、６Ｂ  ソケット保持部、
７  楔式ソケット、
８  楔、
９  ロープ導出入孔部、
１０Ａ  ロープ導出入孔部、
１０Ｂ  ロープ導出入孔部、
１１  孔、
１２  ワイヤーロープ、
４０  乗かご、
４１  昇降路、
４２  機械室、
４３  巻上機、
４４  プーリー、
４５  釣合おもり、
４６  乗かご側ガイドレール、
４７  釣合おもり側ガイドレール
【図１】
2019085228.tif 000003
【図２】
2019085228.tif 000004
【図３】
2019085228.tif 000005
【図４】
2019085228.tif 000006